(57)【特許請求の範囲】
【請求項１】
用紙を位置決めする用紙位置決め手段と該用紙位置決め手段によって位置決めされた用紙を基板と用紙保持部との間に挟持して保持する用紙保持手段とを有するゲージと、用紙に綴り穴をあけるパンチと、によって構成され、前記パンチをパンチ位置決め手段によって前記ゲージに位置決めさせて用紙に綴り穴をあけることにより、用紙に所望の綴り穴を形成するゲージパンチであって、
前記ゲージは、
一方が前記基板に回動自在に連結された支持部が前記用紙保持部の両端部に形成された用紙保持部材と、一端が前記支持部の他方に回動自在に連結されて他端が前記基板に摺動自在に設けられたリンク部材と、を有し、
前記用紙保持手段は、
前記リンク部材の他端に形成される突出部と、前記基板の長手方向両端部に設けられて前記突出部が係合される係合部と、を有し、前記突出部を前記係合部に形成された係止部によって係止して前記リンク部材の動作を規制することにより、前記用紙支持部材の支持部の動作を規制して前記用紙支持部材の用紙支持部を開口した状態で維持することを特徴とするゲージパンチ。
【発明の詳細な説明】
【０００１】
【発明の属する技術分野】
本発明は、ゲージパンチ、更に詳しくは用紙を位置決めさせて保持するゲージと、そのゲージに位置決めされて用紙に所望の綴り穴をあけるパンチとからなるゲージパンチに関する。
【０００２】
【従来の技術】
ファイルブックに用紙を綴じる場合には、用紙にそのファイルブックに適合した綴り穴をパンチであける必要があり、例えば、Ａ４規格の用紙に３０穴の綴り穴をあける場合に、３０個のパンチ部材を一列で配設したパンチにより、用紙に３０個の綴じ穴を一度にあけることが従来から行われてきた。しかしながら、特に、数枚の用紙を重ねて綴じ穴をあける場合には、パンチのハンドルを押下げるのに大きな力が必要であるのに加えて、３０個のパンチ部材を一列で配設しているので、パンチ本体が大きくなってしまうといった問題があった。
【０００３】
そこで、本出願人により、図８に示すように、用紙１０１を保持するゲージ１０２と、用紙１０１に綴り穴１０３をあけるパンチ１０４とにより形成されるゲージパンチが発明された。ゲージ１０２は、基板１０６に回動自在に設けられて、用紙１０１が当接されることで用紙１０１をゲージ１０２に位置決めさせる図示しないスケールと、支点１０５の回りに回動自在に設けられて、ゲージ１０２に位置決めされた用紙１０１を保持する用紙保持部材１０７とを具備しており、このようなゲージ１０２により、まず、用紙保持部材１０７を支点１０５の回りに回動させて開口し、図示しない用紙の端部を図示しないスケールに当接させることで用紙１０１をゲージ１０２に位置決めさせる。そして、用紙保持部材１０７を支点１０５の回りに回動させることで、用紙保持部材１０７とゲージ１０２の基板１０６とで用紙１０１を挟持することにより、用紙保持部材１０７と基板１０６との対向部にそれぞれ設けられて、互いに引寄せ合うような磁力の図示しないマグネットが有効となり、用紙をゲージ１０１に保持することができる。
【０００４】
次に、用紙１０１を所定の位置に保持した状態で、図示しないスケールを回動させて基板１０６の底部に待避させることで、用紙１０１の綴じ代をゲージ１０２から突出させ、その綴じ代をパンチ１０４の用紙差入れ口に差入れると共に、パンチ１０４に形成された突起１０８を用紙保持部材１０７に配設されたパンチ位置決め部１０９に選択的に嵌合させることによりパンチ１０４を次々に位置決めして、選択されたそれぞれの位置決め位置で綴り穴１０３をあけることで、用紙１０１に所望の綴り穴１０３を形成していた。
【０００５】
しかしながら、ゲージ１０２を載置するテーブル等がない場合には、ゲージ１０２を片手に持った状態で上述したような作業を行わなくてはならず、特に、手の小さい人にとってはとても困難な作業であった。
【０００６】
【発明が解決しようとする課題】
そこで本発明は、上記事情に鑑みてなされたもので、用紙保持部材を開口した状態で保持できると共に、ワンタッチ操作で用紙を保持できるようにすることで、テーブル等がない場合でも、片手に持った状態で容易に用紙に綴り穴をあけることができるゲージパンチを提供することを目的とする。
【０００７】
【課題を解決するための手段】
上記目的を達成するために、本発明のうち請求項１記載の発明は、用紙を位置決めする用紙位置決め手段と該用紙位置決め手段によって位置決めされた用紙を基板と用紙保持部との間に挟持して保持する用紙保持手段とを有するゲージと、用紙に綴り穴をあけるパンチと、によって構成され、前記パンチをパンチ位置決め手段によって前記ゲージに位置決めさせて用紙に綴り穴をあけることにより、用紙に所望の綴り穴を形成するゲージパンチであって、前記ゲージは、一方が前記基板に回動自在に連結された支持部が前記用紙保持部の両端部に形成された用紙保持部材と、一端が前記支持部の他方に回動自在に連結されて他端が前記基板に摺動自在に設けられたリンク部材と、を有し、前記用紙保持手段は、前記リンク部材の他端に形成される突出部と、前記基板の長手方向両端部に設けられて前記突出部が係合される係合部と、を有し、前記突出部を前記係合部に形成された係止部によって係止して前記リンク部材の動作を規制することにより、前記用紙支持部材の支持部の動作を規制して前記用紙支持部材の用紙支持部を開口した状態で維持することを特徴とする。
【０００８】
このように構成することで、例えば、用紙保持部と基板とが磁力によって引寄せ合う場合であっても、リンク部材の突出部を基板の係合部に形成された係止部によって係止することにより、用紙保持部が開口された状態を維持することができる。
【０００９】
【発明の実施の形態】
本発明の実施の形態を図１ないし図７に基づいて説明する。まず、本実施の形態のゲージパンチの概略について説明する。図２に示すように、本発明のゲージパンチは、用紙１を保持するゲージ２と、用紙１に所定の綴じ穴をあけるパンチ３とにより形成され、ゲージ２に形成された複数のパンチ位置決め部４に選択的にパンチ３を位置決めさせて、選択された位置で用紙１に所定の綴り穴をあけることにより、最終的に用紙１に所望の綴り穴を形成させる構造になっている。
【００１０】
次に、本実施の形態のゲージ２を構成する各構成要素について詳細に説明する。図１及び図３に示すように、ゲージ２は、基板５と、用紙１が当接されることで用紙１を位置決めさせるスケール６と、一方が基板５に回動自在に連結された支持部７が用紙１を保持する用紙保持部８（用紙保持手段）の両端部に形成された用紙保持部材９と、一端が支持部７の他方に回動自在に連結されると共に、他端が基板５に摺動自在に設けられたリンク部材１０とにより形成されている。
【００１１】
スケール６は、図１に示すように、基板５に支点１２で回動自在に設けられ、図１中のＡ方向から差入れられた用紙１が用紙位置決め部１１に当接されることで用紙１を位置決めするよう形成され、このスケール６により、用紙位置決め手段が構成されている。そして、スケール６は、支点１２の回りに回動させることで、基板５の底部に待避するよう形成され（図１の２点鎖線部参照）、スケール６を待避させることで、図２に示すように、基板５の長手方向に用紙１の綴じ代が突出する構造となっている。
【００１２】
また、用紙保持部材９は、用紙保持部８と支持部７とを一体で形成し、基板５に支点２９で回動自在に設けられており、所定の位置にパンチ３を位置決めさせるパンチ位置決め部４が形成された用紙保持部８と平行なストレッチ１３を装備している。なお、図７に示すように、スケール６は、スケール６を待避させて図示しないテーブルに載置した場合に、ゲージ２とパンチ３との高さ方向の位置合わせが容易なように、高さＨが所定の寸法で形成されている。
【００１３】
リンク部材１０は、図１に示すように、一端が用紙保持部材９の支持部７に支点３０で回動自在に連結され、他端が基板５の所定の位置に形成された係合部１４に係合されている。リンク部材１０の他端には、図１、図５、図６に示すように、互いに平行に延出すると共に、その端部が互いに近接方向に撓むような弾性を有する一対のアーム１５が形成され、それぞれのアーム１５の端部に、互いに外側の方向に突出する突出部１６が形成されている。
【００１４】
係合部１４は、基板５の長手方向の両端部に設けられ、図１、図４、図５、図６に示すように、互いに平行に設けられた一対のレールガイド１７と、それぞれのレールガイド１７の一端に形成されるエンドストッパ１８と、それぞれのレールガイド１７の所定の位置から下方に延出する断面が略半円形状の係止部１９とが基板５に一体で成形されており、リンク部材１０に形成された突出部１６が係合部１４に係合するよう構成されている。
【００１５】
なお、用紙保持部８と基板５には、互いに対向する位置に図示しないマグネットが設けられ、用紙保持部８と基板５とを対向させることでそれぞれのマグネットが互いに引寄せ合うよう形成されている。
【００１６】
次に、パンチ３を形成する各構成要素について説明する。図７に示すように、パンチ３は、パンチ本体を形成するフレーム部２０に形成された開口部２１にゲージ２に保持された用紙１の綴じ代を差入れて、フレーム部２０に回動自在に設けられたハンドル２２を押し下げることにより、フレーム部２０に摺動自在に支持された複数のパンチ部材２３がハンドル２２に連動して用紙１を貫通することで、用紙１に綴り穴を形成する構造になっている。なお、綴り穴をあけることで発生したパンチ屑は、フレーム部２０に設けられたパンチ屑収納部２４に蓄積されるよう形成されている。
【００１７】
フレーム部２０には、その開口部２１の上側部分にゲージ２のストレッチ１３に当接させる板状の突当部２５が突出し、この突当部２５の端面部にゲージ２のパンチ位置決め部４に嵌合させる突起２６が形成されており、ゲージ２に形成されたパンチ位置決め部４及び突起２６により、パンチ位置決め手段が構成されている。そして、パンチ屑収納部２４は、一方がフレーム部２０に回動自在に設けられ、他方には、突当部２５に対向するように形成されて用紙１の綴じ代をパンチ３の開口部２１に案内する用紙案内部２７を具備している。
【００１８】
また、ハンドル２２は、図示しないばね部材により開く方向に付勢されており、パンチ部材２３を上死点で保持するよう形成されている。なお、図７に示すように、パンチ３の背面部には、ハンドル２２を綴じた状態で保持させるロック部２８が設けられている。
【００１９】
このような構成において、本実施の形態のゲージパンチの作用について説明する。まず、ゲージ２の作用について説明する。
【００２０】
（イ）用紙保持部８が閉口した状態では、用紙保持部８（用紙保持手段）と基板５とに対向して設けられた図示しないマグネットが互いに引寄せ合うことで、用紙保持部８が閉口した状態で維持され、この状態では、リンク部材１０に形成された突出部１６が図１中のＢの位置に位置されている。
【００２１】
（ロ）用紙保持部８を図示しないマグネットの引寄せ合う磁力に反して開口させることで、支持部７が支点２９を支点として図１の反時計方向に回動し、リンク部材１０は、支持部７の回動動作に伴い、一方が支点３０の回りに回動しながら、他方に形成された突出部１６を係合部１４に形成されたレールガイド１７に案内させて、図１中のＢの位置からエンドストッパ１８の方向に移動させる。
【００２２】
（ハ）突出部１６は、所定量の移動をすると係合部１４に形成された係止部１９に当接され、更なる移動をすることで、突出部１６に係止部１９からの反力が作用し、突出部１６は、アーム１５を撓ませることにより突起状の係止部１９を乗越える。そして、突出部１６は、それ以上の移動をエンドストッパ１８により規制されると共に、係止部１９に係止されることにより図１中の右方向の移動を規制される。したがって、本実施の形態のゲージ２は、突出部１６が係合部１４により係止されることによりリンク部材１０が動作を規制されて、その結果、用紙保持部材９の支持部７の動作が規制されるので、用紙保持部８を開口させた状態で維持することができる。
【００２３】
（ニ）用紙保持部８を開口させた状態で、用紙１を図１中のＡ方向から差入れて、用紙１の綴じ代をスケール６に当接させることで位置決めする。そして、用紙保持部８を押圧することで支点３０を作用点とした下方向の力を付与することにより、リンク部材１０の突出部１６は、係合部１４に形成された係止部１９に押付けられることで、係止部１９からの反力によりアーム１５を撓ませて係止部１９を乗越え、図１中のＢの位置に移動する。このようにすることで、ゲージ２は、用紙保持部８が閉口されて、且つ、用紙保持部８と基板５とに設けられた図示しないマグネットが互いに引寄せ合うことにより用紙１を保持することができる。したがって、本実施の形態のゲージ２は、スケール６に形成された用紙位置決め部１１により用紙１を位置決めさせて、用紙保持部８を押圧することで用紙１を保持することができる。ここで、用紙１を保持するとは、用紙保持部８と基板５とによって用紙１を挟持する（動かないように押え付ける）ことをいう。
【００２４】
次に、図２及び図７に基づいて、ゲージ２により保持された用紙１に、パンチ３で綴り穴をあける操作について説明する。
【００２５】
（ホ）まず、図７に示すように、ゲージ２のスケール６を支点１２の回りに回動させて基板５の底部に待避させることにより（図１の２点鎖線部参照）、用紙１の綴じ代をゲージ２から突出させて、この綴じ代をパンチ３に形成された用紙案内部２７に案内させてパンチ３の開口部２１に差入れる。
【００２６】
（ヘ）図２に示すように、パンチ３の突当部２５に形成された突起２６をゲージ２のストレッチ１３に形成されたパンチ位置決め部４に選択的に嵌合させることにより、パンチ３をゲージ２に位置決めさせて、それぞれの位置決めされた位置でパンチ３のハンドル２２を押し下げて、パンチ部材２３を用紙１に貫通させることで用紙１に所望の綴り穴を形成することができる。例えば、図１に示すように、ストレッチ１３に形成された５個のパンチ位置決め部４のそれぞれに、６個のパンチ部材２３が配設されたパンチ３を位置決めして用紙１に綴り穴をあけることにより、最終的に、３０個の綴り穴を用紙に形成することができる。なお、図７に示すように、ゲージ２とパンチ３とを図示しないテーブルに載置して作業する場合に、待避させたスケール６の所定の高さＨにより、ゲージ２のストレッチ１３とパンチ３の突当部２５とのそれぞれの端面部が互いに対向するので、ゲージ２とパンチ３との位置決めを容易に行うことができる。また、テーブル上に水平に載置できるため、用紙１の枚数が多い場合でも体重をかけて容易に穴あけすることができる。
【００２７】
（ト）用紙１に綴り穴を形成することで発生した図示しないパンチ屑は、図７に示すパンチ屑収納部２４に蓄積されて、パンチ屑を廃棄する際には、パンチ屑収納部２４に形成された用紙案内部２７を取手として用いることで、パンチ屑収納部２４を簡単に開口させてパンチ屑を廃棄することができる。
【００２８】
【発明の効果】
本実施形態によれば、リンク部材の突出部を基板の係合部に形成された係止部によって係止することにより、例えば、用紙保持部と基板とが磁力によって引寄せ合う場合であっても、用紙保持部が開口された状態を維持することができる。さらに、ワンタッチ操作で用紙を保持することができるので、テーブル等がない場合でも、片手に持った状態で容易に用紙に綴り穴をあけることができる。
【図面の簡単な説明】
【図１】  本実施の形態のゲージが用紙保持部を開口した状態で保持されている図である。
【図２】  ゲージにパンチを位置決めした状態を示す平面図である。
【図３】  スケールが回動する状態を示すゲージの斜視図である。
【図４】  突出部が係合部に係止されている状態を示す斜視図である。
【図５】  図１における、Ｃ−Ｃ矢視方向の図である。
【図６】  図５における、Ｄ−Ｄ矢視方向の図である。
【図７】  ゲージにパンチを位置決めした状態を示す正面図である。
【図８】  従来のゲージパンチを示す斜視図である。
【符号の説明】
１  用紙、２  ゲージ、３  パンチ、４  パンチ位置決め部（パンチ位置決め手段）、５  基板、６  スケール（用紙位置決め手段）、８  用紙保持部（用紙保持手段）、１０  リンク部材、１１  用紙位置決め部（用紙位置決め手段）、１４  係合部、１６  突出部、２１  開口部、２４  パンチ屑収納部、２６  突起（パンチ位置決め手段）、２７  用紙案内部
【図１】
0004161148.tif 000002
【図２】
0004161148.tif 000003
【図３】
0004161148.tif 000004
【図４】
0004161148.tif 000005
【図５】
0004161148.tif 000006
【図６】
0004161148.tif 000007
【図７】
0004161148.tif 000008
【図８】
0004161148.tif 000009